(57)【要約】【課題】風等による音の発生を防止することが可能な屋外構造物の屋根を提供する。【解決手段】屋外構造物の屋根であって、第１方向の長さが当該第１方向と直交する第２方向の長さより長い四辺形状をなす複数の屋根材が当該屋根材の前記第２方向に並べて配置され、前記第１方向に沿うとともに前記第２方向に互いに間隔を隔てて設けられた複数の第１方向部材のうちの２本の前記第１方向部材間に、前記第１方向部材間における中央側が前記第１方向部材間における端部側より高くなるように湾曲した状態で、前記屋根材が架け渡されている。【選択図】図２
2014224429.tif 000002
【特許請求の範囲】
【請求項１】
屋外構造物の屋根であって、
第１方向の長さが当該第１方向と直交する第２方向の長さより長い四辺形状をなす複数の屋根材が当該屋根材の前記第２方向に並べて配置され、
前記第１方向に沿うとともに前記第２方向に互いに間隔を隔てて設けられた複数の第１方向部材のうちの２本の前記第１方向部材間に、前記第１方向部材間における中央側が前記第１方向部材間における端部側より高くなるように湾曲した状態で、前記屋根材が架け渡されていることを特徴とする屋外構造物の屋根。
【請求項２】
請求項１に記載の屋外構造物の屋根であって、
前記屋根材は、弾性変形されて湾曲していることを特徴とする屋外構造物の屋根。
【請求項３】
請求項１または請求項２に記載の屋外構造物の屋根であって、
前記第１方向部材は、前記屋根材の端部を上下方向から挟む挟持部を有し、
前記屋根材の、前記挟持部に挟まれた部位より縁部側を下方に押圧する押圧部を有していることを特徴とする屋外構造物の屋根。
【請求項４】
請求項３に記載の屋外構造物の屋根であって、
前記屋根材が架け渡される前記第１方向部材間には、第２方向部材が架け渡されており、
前記第２方向部材上には、前記第１方向部材間における中央側に、前記屋根材の前記端部側より高い位置にて前記屋根材を支持する支持部材が備えられていることを特徴とする屋外構造物の屋根。
【請求項５】
請求項４に記載の屋外構造物の屋根であって、
前記支持部材は、緩衝材であることを特徴とする屋外構造物の屋根。
【請求項６】
請求項３に記載の屋外構造物の屋根であって、
前記屋根材が架け渡される前記第１方向部材間には、前記第１方向部材間における中央側が前記第１方向部材側の端部より高い位置にて前記屋根材を支持すべく湾曲された第２方向部材が架け渡されていることを特徴とする屋外構造物の屋根。
【発明の詳細な説明】
【技術分野】
【０００１】
本発明は、屋外構造物の屋根に関する。
【背景技術】
【０００２】
屋外構造物の屋根としては、カーポートやテラス等の簡易建物の屋根が知られている。例えば、間隔をおいて設けた垂木間に中骨を架け渡して骨組みが形成されており、骨組みの隣接する垂木同士の間の上面に屋根パネルが取り付けられたカーポートが知られている。このカーポートの屋根は、屋根パネルと中骨との間に緩衝材が設けられており、風による屋根パネルの振動などで音が発生することを防止している。また、この屋根には、屋根は後から前に向かって下り勾配の傾斜をなすとともに右から左にかけても下り勾配の傾斜をなしている（たとえば、特許文献１参照）。
【先行技術文献】
【特許文献】
【０００３】
【特許文献１】特願２０１０−２４２４３７号公報
【発明の概要】
【発明が解決しようとする課題】
【０００４】
上記のような屋外構造物の屋根は、屋根パネルと中骨との間に緩衝材が介在されつつも下り勾配の傾斜をなしているので、屋根パネルは平面をなすように垂木間に掛け渡されている。このような屋根パネルは、端部が把持されて生じる撓み変形が、風などにより上下方向に繰り返されて振動したときに、緩衝材により屋根パネルが直接中骨に接触することを防止して音の発生を抑えることは可能であるが、屋根パネルの振動そのものを抑制する効果は小さい。また、屋外構造物の屋根において風による音の発生は、屋根パネルと中骨との接触によるものばかりではなく、屋根パネル自身が振動により音を発する場合もあり、単に緩衝材を介在させるだけでは、音の発生を抑えることができないという課題がある。
【０００５】
本発明は、かかる課題に鑑みてなされたものであり、その目的とするところは、風等による音の発生を防止することが可能な屋外構造物の屋根を提供することにある。
【課題を解決するための手段】
【０００６】
かかる目的を達成するために本発明の屋外構造物の屋根は、屋外構造物の屋根であって、第１方向の長さが当該第１方向と直交する第２方向の長さより長い四辺形状をなす複数の屋根材が当該屋根材の前記第２方向に並べて配置され、前記第１方向に沿うとともに前記第２方向に互いに間隔を隔てて設けられた複数の第１方向部材のうちの２本の前記第１方向部材間に、前記第１方向部材間における中央側が前記第１方向部材間における端部側より高くなるように湾曲した状態で、前記屋根材が架け渡されていることを特徴とする屋外構造物の屋根。
【０００７】
このような屋外構造物の屋根によれば、第１方向部材間に掛け渡された屋根材は第１方向部材間において、湾曲しているので、屋根材が平面をなすように単に第１方向部材間に掛け渡されている場合に生じる、第１方向部材に両端が支持された屋根材の中央が、風などにより上下に撓むような振動が抑制される。このとき、屋根材は、短辺側となる第２方向の中央側が高くなるように湾曲しているので、長辺側となる第１方向の中央側が高くなるように湾曲される場合より大きな力にて湾曲されているため形状が保たれ易い。このため、たとえ風に煽られたとしても音の発生を防止することが可能である。また、屋根材は中央側が端部側より高い状態で湾曲しているので、雨水等が屋根材上に溜まることを防止することが可能であり、屋根材下の空間をより広く確保することが可能である。
【０００８】
かかる屋外構造物の屋根であって、前記屋根材は、弾性変形されて湾曲していることが望ましい。  
このような屋外構造物の屋根によれば、屋根材は、弾性変形されて湾曲しているので、屋根材自身の弾性により復元する方向に力が第１方向部材に作用しつつ湾曲された状態が維持されている。このため、屋根材の湾曲した方向と反対側への撓みが規制されているので、屋根材の撓みによる振動はより発生しにくい。このため、たとえ風に煽られたとしても音の発生をより確実に防止することが可能である。
【０００９】
かかる屋外構造物の屋根であって、前記第１方向部材は、前記屋根材の端部を上下方向から挟む挟持部を有し、前記屋根材の、前記挟持部に挟まれた部位より縁部側を下方に押圧する押圧部を有していることが望ましい。  
このような屋外構造物の屋根によれば、屋根材は、第１方向部材の挟持部が上下方向から挟む部位より縁部側が押圧部により下方に押圧されるので、屋根材をその中央側が上方に突出するように湾曲させることが可能である。このため、屋根材を第１方向部材間に架け渡すだけで、湾曲させることが可能である。
【００１０】
かかる屋外構造物の屋根であって、前記屋根材が架け渡される前記第１方向部材間には、第２方向部材が架け渡されており、前記第２方向部材上には、前記第１方向部材間における中央側に、前記屋根材の前記端部側より高い位置にて前記屋根材を支持する支持部材が備えられていることが望ましい。  
このような屋外構造物の屋根によれば、第１方向部材間に架け渡された第２方向部材上に備えられた支持部材により、屋根材は第１方向部材間における中央側が端部より高い位置に支持されるので、屋根材を確実に湾曲させることが可能である。
【００１１】
かかる屋外構造物の屋根であって、前記支持部材は、緩衝材であることが望ましい。  
このような屋外構造物の屋根によれば、屋根材の第１方向部材間における中央側を支持する支持部材が緩衝材なので、屋根材と支持部材との間においても音の発生を防止することが可能である。
【００１２】
かかる屋外構造物の屋根であって、前記屋根材が架け渡される前記第１方向部材間には、前記第１方向部材間における中央側が前記第１方向部材側の端部より高い位置にて前記屋根材を支持すべく湾曲された第２方向部材が架け渡されていることとしてもよい。  
このような屋外構造物の屋根によれば、屋根材が架け渡される第１方向部材間に架け渡される第２方向部材が、第１方向部材間における中央側が第１方向部材間の端部より高い位置に屋根材を支持すべく湾曲されているので、第２方向部材に沿わせて配置した屋根材を第１方向部材に保持させるだけで、屋根材を確実に湾曲させることが可能である。
【発明の効果】
【００１３】
本発明によれば、風等による音の発生を防止することが可能な屋外構造物の屋根を提供することが可能である。
【図面の簡単な説明】
【００１４】
【図１】本実施形態に係る一実施形態のテラス屋根を示す斜視図である。
【図２】テラス屋根における屋根材の取り付け構造を示す縦断面図である。
【図３】屋根材の取り付け構造の変形例を示す縦断面図である。
【図４】屋根材を湾曲させる押圧片の変形例を示す図である。
【図５】屋根材の下側からの施工を可能とするテラス屋根の構成を示す縦断面図である。
【発明を実施するための形態】
【００１５】
以下、本発明の一実施形態に係る屋外構造物の屋根としてテラスに設けられるテラス屋根について図面を参照して説明する。
【００１６】
本実施形態のテラス屋根１０は、図１に示すように、掃き出し窓２を備えた建物１と隣接して設けられたテラス３上に設けられ、建物１の外壁１ａから張り出すように設けられている。
【００１７】
以下の説明においては、テラス屋根１０が設けられた状態で上下となる方向を上下方向、テラス屋根１０が取り付けられている建物１の外壁１ａ及び窓２を基準として建物１の外壁１ａに沿う方向を見付け方向、建物１の内外方向を見込み方向として説明する。また、テラス屋根１０が備える各部材は、単体として説明する場合であっても、テラス屋根１０が設けられた状態で上下方向、見付け方向、見込み方向等となる方向にて方向を特定して説明する。ここで、見込み方向が第１方向に相当し、見付け方向が第２方向に相当する。
【００１８】
本実施形態のテラス屋根１０は、建物１の外壁１ａに固定される垂木掛１１と、垂木掛１１と互いに間隔を隔てて平行に配置され軒樋と一体に形成された前枠１２と、垂木掛１１と前枠１２との見付け方向における端部同士を繋ぐ２本の側枠１３と、２本の側枠１３間に見付け方向に互いに間隔を隔てて等間隔に配置され垂木掛１１と前枠１２との間に見込み方向に沿って架け渡される２本の垂木１４と、側枠１３と垂木１４との間及び垂木１４同士の間に見込み方向に間隔を隔てて見付け方向に沿って各々２本ずつ架け渡される野縁１５と、側枠１３と垂木１４及び垂木１４同士の間に架け渡された３枚の屋根材１６と、前枠１２における見付け方向の端部を支持する２本の支柱１７と、を有している。ここで、見込み方向に沿って設けられる側枠１３及び垂木１４が第１方向部材に相当し、見付け方向に沿って設けられる野縁１５が第２方向部材に相当する。
【００１９】
３枚の屋根材１６は、各々例えば、長方形状をなし、ポリカーボネートなどの合成樹脂製の板状の部材であり、垂木掛１１、前枠１２、側枠１３及び垂木１４、または、垂木１４同士に囲まれた領域にそれぞれ配置されて、垂木掛１１、前枠１２、側枠１３及び垂木１４に設けられた収容部１３ａ、１４ａに周端部１６ａ（図２）が収容されている。図２では、垂木掛１１、前枠１２に設けられている収容部は示されていない。
【００２０】
見付け方向における両端部に配置された２本の側枠１３は、各々対向する側の上端部に見込み方向に沿って屋根材１６の収容部１３ａが設けられている。
【００２１】
各々の側枠１３は、見込み方向に連通する中空部１３１ａを有する押出成形部材でなる側枠本体１３１と、側枠本体１３１の上部にビス止めされる側枠上板１３２とを有している。
【００２２】
図２に示すように、２本の側枠本体１３１の上部には、互いに対向する内側に見付け方向におけるほぼ半分を窪ませた凹部１３１ｂを有している。凹部１３１ｂには、２本の側枠本体１３１が対向する側の縁に設けられるシール材１８が嵌合される下シール嵌合部１３１ｃが設けられている。また、側枠本体１３１の上部には、見付け方向において凹部１３１ｂより外側に上方に開放された溝部１３１ｄが設けられている。
【００２３】
側枠上板１３２は、側枠本体１３１の上にて、溝部１３１ｄから下シール嵌合部１３１ｃ上までを覆う部材であり、溝部１３１ｄに挿入される突片１３２ａと、下シール嵌合部１３１ｃと上下に対向する位置に設けられてシール材１８が嵌合される上シール嵌合部１３２ｂと、突片１３２ａと上シール嵌合部１３２ｂとの間にて下方に突出して屋根材１６を押圧する押圧部１３２ｃを有している。
【００２４】
側枠１３は、シール材１８が嵌合された側枠本体１３１の溝部１３１ｄに、シール材１８が嵌合された側枠上板１３２の突片１３２ａが挿入されるとともに押圧部１３２ｃが凹部１３１ｂ内に挿入されて、側枠本体１３１と側枠上板１３２とが、突片１３２ａと押圧部１３２ｃとの間でビス止めされている。このとき、凹部１３１ｂ上を側枠上板１３２が覆って形成される空間が、屋根材１６の周端部が収容される収容部１３ａをなしている。
【００２５】
収容部１３ａは、２本の側枠本体１３１の互いに対向する内側の上部に、内側に向かって開放されて形成されており、開放された端部の上下に、側枠１３の長手方向に沿ってシール材１８が嵌合されている。そして、シール材１８は上下方向において対向するように設けられており、上下に位置するシール材１８の対向する面は、開放された側から奥に向かって僅かに低くなるように傾斜しており、対向するシール材１８間に、収容部１３ａに収容される屋根材１６の周端部が挟持される。すなわち、側枠本体１３１及び側枠上板１３２に設けられたシール材１８が挟持部をなしている。収容部１３ａの対向するシール材１８の奥には空隙が形成されており、空隙内に上方から突出された押圧部１３２ｃが挿入されている。
【００２６】
押圧部１３２ｃは、凹部１３１ｂを形成する奥側の壁部１３１ｅに沿うように垂設された垂設片１３２ｄの下端に僅かに上方に傾斜させた押圧片１３２ｅが開放されている側に延出されている。そして、側枠本体１３１の凹部１３１ｂに設けられたシール材１８上に屋根材１６の周端部１６ａが載置されて、側枠上板１３２が側枠本体１３１に取り付けられると、対向して傾斜するシール材１８間に屋根材１６が挟持されるとともに押圧部１３２ｃにより屋根材１６の縁部１６ｂが下方に押圧される。
【００２７】
２本の垂木１４は、見込み方向に連通する中空部１４１ａを有する押出成形部材でなる垂木本体１４１と、垂木本体１４１の上部にビス止めされる垂木上板１４２とを有している。垂木１４は、見付け方向における両側に、屋根材１６が配置されるため、側枠１３に設けられていた屋根材１６の周端部１６ａを収容する収容部１３ａと同様の収容部１４ａが、見付け方向の両側にそれぞれ設けられている。
【００２８】
具体的には、２本の垂木本体１４１の上部には、見付け方向の中央部にて上方に突出する中央突部１４１ｂを除き、その両側を窪ませた凹部１４１ｃが設けられており、凹部１４１ｃの外側の縁にそれぞれ設けられるシール材１８が嵌合される下シール嵌合部１４１ｄが設けられている。
【００２９】
垂木上板１４２は、垂木本体１４１の上にて、見付け方向における両端に設けられた２つの下シール嵌合部１４１ｄに渡るように凹部１４１ｃ上を覆う部材である。垂木上板１４２の見付け方向における中央部分には、垂木本体１４１の上に配置されたときに、垂木本体１４１上に突出する中央突部１４１ｂが挿入される挿入凹部１４２ａが設けられている。垂木上板１４２には、挿入凹部１４２ａに垂木本体１４１の中央突部１４１ｂが挿入された状態で、下シール嵌合部１４１ｄと上下に対向する位置に設けられてシール材１８が嵌合される上シール嵌合部１４２ｂと、上シール嵌合部１４２ｂより内側にて下方に突出して挿入凹部１４２ａを形成するとともに屋根材１６を押圧する押圧部１４２ｃを有している。
【００３０】
垂木１４は、シール材１８が嵌合された垂木本体１４１の中央突部１４１ｂが、シール材１８が嵌合された垂木上板１４２に挿入凹部１４２ａに挿入されるとともに押圧部１４２ｃが凹部１４１ｃ内に挿入されて、垂木上板１４２が中央突部１４１ｂ上でビス止めされている。このとき、凹部１４１ｃ上を垂木上板１４２が覆って形成される空間が、屋根材１６の周端部１６ａが収容される収容部１４ａをなしている。
【００３１】
収容部１４ａは、各垂木本体１４１の見付け方向における両側の上部に、外側に向かって開放されて形成されており、開放された端部の上下に、垂木１４の長手方向に沿ってシール材１８が嵌合されている。そして、シール材１８は上下方向において対向するように設けられており、上下に位置するシール材１８の対向する面は、開放された側から奥に向かって僅かに低くなるように傾斜しており、対向するシール材１８間に、収容部１４ａに収容される屋根材１６の周端部１６ａが挟持される。すなわち、垂木本体１４１及び垂木上板１４２に設けられたシール材１８が挟持部をなしている。収容部１４ａの対向するシール材１８の奥には空隙が形成されており、空隙内に上方から突出された押圧部１４２ｃが挿入されている。
【００３２】
押圧部１４２ｃは、凹部１４１ｃを形成する奥側の壁部１４１ｅに沿うように垂設された垂設片１４２ｄの下端にほぼ僅かに上方に傾斜させた押圧片１４２ｅが開放されている側に延出されている。そして、垂木本体１４１の凹部１４１ｃに設けられたシール材１８上に屋根材１６の周端部１６ａが載置されて、垂木上板１４２が垂木本体１４１に取り付けられると、対向して傾斜するシール材１８間に屋根材１６が挟持されるとともに押圧部１４２ｃにより屋根材１６の縁部１６ｂが下方に押圧される。
【００３３】
このため、側枠１３と垂木１４との間に架け渡された屋根材１６及び、垂木１４同士の間に架け渡された屋根材１６は、側枠１３と垂木１４との間及び垂木１４同士の間にて見付け方向における中央側が、端部側より高くなるように弾性変形されて湾曲した状態にて保持される。
【００３４】
見込み方向に沿って互いに平行に設けられている側枠１３と垂木１４には、屋根材１６より下側に、互いに対向する側壁部１３ｂ、１４ｂに取付部材１９を介して野縁１５が架け渡されている。野縁１５は、側枠１３と垂木１４との間、或いは、垂木１４同士の間に水平に設けられており、上方に位置する屋根材１６との間隔は、野縁１５の見付け方向における端部で狭く、中央側で広くなっている。
【００３５】
そして、野縁１５の見付け方向における中央部分には、野縁１５と屋根材１６との間に、例えばウレタンやシリコンゴムなどの支持部材としての緩衝材２０が設けられ、屋根材１６が下方から支持されている。
【００３６】
本実施形態のテラス屋根１０によれば、側枠１３と垂木１４との間または垂木１４同士の間に掛け渡された屋根材１６は、側枠１３と垂木１４との間、または、垂木１４同士の間において湾曲している。このため、平板状の屋根材が単に側枠１３と垂木１４との間または垂木１４同士の間に掛け渡されている場合のように、側枠１３または垂木１４に両端が支持された屋根材１６の中央が、風などにより上下に撓むような振動が抑制される。また、屋根材１６は、短辺側となる見付け方向の中央側が高くなるように湾曲しているので、長辺側となる見込み方向の中央側が高くなるように湾曲される場合より大きな力にて湾曲されているため形状が保たれ易い。このため、たとえ風に煽られたとしても音の発生を防止することが可能である。また、屋根材１６の、側枠１３と垂木１４との間または垂木１４同士の間における中央側が端部側より高い状態で湾曲しているので、雨水等が屋根材１６上に溜まることを防止することが可能であり、屋根材１６下の空間をより広く確保することが可能である。
【００３７】
また、屋根材１６は、弾性変形されて湾曲しているので、屋根材１６自身の弾性により復元する方向に力が側枠１３または垂木１４に作用しつつ湾曲された状態が維持されている。このため、屋根材１６の湾曲した方向と反対側への撓みが規制されているので、屋根材１６の撓みによる振動はより発生しにくい。このため、たとえ風に煽られたとしても音の発生をより確実に防止することが可能である。
【００３８】
また、屋根材１６は、側枠１３または垂木１４に嵌合されたシール材１８が上下方向から挟む部位より縁部１６ｂ側が押圧部１３２ｃ、１４２ｃにより下方に押圧されるので、屋根材１６をその中央側が上方に突出するように湾曲させることが可能である。このため、屋根材１６を側枠１３と垂木１４との間または垂木１４同士の間に架け渡すだけで、湾曲させることが可能である。
【００３９】
また、側枠１３と垂木１４との間または垂木１４同士の間に架け渡された野縁１５上に備えられた緩衝材２０により、屋根材１６は側枠１３と垂木１４との間または垂木１４同士の間における中央側が端部より高い位置に支持されるので、屋根材１６を確実に湾曲させることが可能である。このとき、屋根材１６を支持しているのが緩衝材２０なので、屋根材１６と緩衝材２０との間においても音の発生を防止することが可能である。
【００４０】
上記実施形態においては、野縁１５の見付け方向における中央部分の、野縁１５と屋根材１６との間に緩衝材２０を設けた例について説明したが、屋根材１６が湾曲するように高さの異なる緩衝材を複数、野縁１５と屋根材１６との間に介在させてもよい。
【００４１】
また、上記実施形態においては、側枠１３と垂木１４との間、或いは、垂木１４同士の間に野縁１５を水平に設け、野縁１５と屋根材１６との間に緩衝材２０を備えた例について説明したが、これに限るものではない。例えば、図３に示すように、側枠１３と垂木１４との間、或いは、垂木１４同士の間に架け渡す野縁２１を湾曲させておいてもよい。このとき、野縁２１は上部に、突出させた上方突部２１ａが設けられており、上方突部２１ａには、屋根材１６との間に介在される緩衝材２０が設けられている。この場合には、屋根材１６が架け渡される側枠１３と垂木１４との間、或いは、垂木１４同士の間に架け渡される野縁２１が、側枠１３と垂木１４との間、或いは、垂木１４同士の間における中央側が側枠１３と垂木１４との間、或いは、垂木１４同士の間の端部より高い位置に屋根材１６を支持すべく湾曲されているので、野縁２１に沿わせて配置した屋根材１６を側枠１３または垂木１４に保持させるだけで、屋根材１６を確実に湾曲させることが可能である。
【００４２】
上記実施形態においては、側枠１３は押圧部１３２ｃに設けられた押圧片１３２ｅにより、垂木１４は押圧部１４２ｃに設けられた押圧片１４２ｅにより、それぞれシール材１８間に挟持された屋根材１６の縁部１６ｂが下方に押圧される例について説明したが、これに限るものではない。
【００４３】
たとえば、図４に示すように、垂木上板１４２が有する上シール嵌合部１４２ｂにおいて収容部１４ａの奥側に位置する部位から、さらに奥側に延出させた押圧片１４２ｆを設け、押圧片１４２ｆにより屋根材１６の、シール材１８で挟まれた部位より縁部１６ｂ側を下方に押圧しても構わない。このとき、側枠１３側では、側枠上板１３２が有する上シール嵌合部１３２ｂにおいて収容部１３ａの奥側に位置する部位から、さらに奥側に延出された押圧片１３２ｆを設け、押圧片１３２ｆにより、屋根材１６の、シール材１８で挟まれた部位より縁部１６ｂ側を下方に押圧する。
【００４４】
また、上記実施形態においては、側枠本体１３１と垂木本体１４１との間、或いは、垂木本体１４１同士の間に屋根材１６を架け渡して、側枠上板１３２及び垂木上板１４２を上方からビス止めすることにより、屋根材１６を湾曲させる例について説明したが、これに限るものではない。
【００４５】
たとえば、図５に示すように、側枠１３と垂木１４の互いに対向する部位、及び、垂木１４同士の互いに対向する部位に、対向する方向に開放されて収容部をなす溝部１３ｃ、１４ｂをそれぞれ備えるとともに溝部１３ｃ、１４ｂ内の上面にシール材１８を予め備えておき、屋根材１６を側枠１３または垂木１４に沿う方向に挿入した後に、屋根材１６の下側から、溝部１３ｃ、１４ｂ内の下面と屋根材１６との間にシール材２２を挿入して屋根材１６を取り付けてもよい。
【００４６】
このとき、屋根材１６の下側に挿入するシール材２２は、挿入しやすいように、シール材２２の挿入方向における先端２２ａ側が薄く、後端２２ｂ側が厚くなるように形成しておく。これにより、装着されたシール材２２と上側のシール材１８とは、シール材２２の後端２２ｂ側となる溝部１３ｃ、１４ｂのより開放されている側にてシール材１８、２２による挟持力が大きくなり、シール材２２の先端２２ａ側は、先端２２ａに向かって屋根材１６との間隔が広がっている。このため、屋根材１６は、より上方に突出するように湾曲し易くなる。
【００４７】
そして、溝部１３ｃ、１４ｂ内の上面に設けられた上シール嵌合部１３２ｂ、１４２ｂの、溝部１３ｃ、１４ｂ、１４ａの奥側に位置する部位から、さらに奥側に延出された押圧片１３２ｆ、１４２ｆを設けておく。このように構成することにより、屋根材１６の、シール材１８で挟まれた部位より縁部１６ｂ側を下方に押圧して、屋根材１６を上方に突出するように湾曲させても構わない。この場合には、屋根材１６の下方からの作業によりテラス屋根を施工することが可能である。このため、例えば、２階以上の階床に設けられているバルコニー等に屋根を設ける場合であっても、容易に施工することが可能である。また、側枠上板及び垂木上板を必要としないので、使用する部材の数を削減することができるため、施工が簡単であるとともに、部材の管理も容易であり、コストも低減することが可能である。
【００４８】
上記実施形態においては、屋外構造物の屋根としてテラス屋根を例に挙げて説明したが、これに限るものではない。例えば、カーポートの屋根等であっても構わない。
【００４９】
上記実施形態においては、屋根材１６を長方形状としたが、必ずしも長方形に限るものではない。
【００５０】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  建物、１０  テラス屋根、１３  側枠、１４  垂木、１５  野縁、
１６  屋根材、１６ａ  周端部、１６ｂ  縁部、１８  シール材、２０  緩衝材、
２１  野縁、２２  シール材、１３１  側枠本体、３２  側枠上板、３２ｃ  押圧部、
１３２ｄ  垂設片、１３２ｅ  押圧片、１３２ｆ  押圧片、１４１  垂木本体、
１４２  垂木上板、１４２ｃ  押圧部、１４２ｄ  垂設片、１４２ｅ  押圧片、
１４ｆ  押圧片
【図１】
2014224429.tif 000003
【図２】
2014224429.tif 000004
【図３】
2014224429.tif 000005
【図４】
2014224429.tif 000006
【図５】
2014224429.tif 000007